(57)【要約】【課題】チェーン巻取り装置においてチェーンの交換作業を容易に行なう。【解決手段】下吊り具２３の位置を上下方向に移動させる通常作業の場合には、第１の駆動手段（電気チェーンブロック１００Ａ）と第２の駆動手段（電気チェーンブロック１００Ｂ）を異なる方向に回転させ、チェーンを交換するチェーン交換作業の場合には、第１の駆動手段１００Ａと第２の駆動手段１００Ｂを同一方向に回転させる。【選択図】図３
2019089641.tif 000002
【特許請求の範囲】
【請求項１】
チェーンを下吊り具と上吊り具に通して第１の駆動手段と第２の駆動手段を介して巻き取るチェーン巻取り装置であって、
前記第１の駆動手段と前記第２の駆動手段を制御する制御部を有し、
前記制御部は、
前記下吊り具の位置を上下方向に移動させる通常作業の場合には、前記第１の駆動手段と前記第２の駆動手段を異なる方向に回転させ、
前記チェーンを交換するチェーン交換作業の場合には、前記第１の駆動手段と前記第２の駆動手段を同一方向に回転させることを特徴とするチェーン巻取り装置。
【請求項２】
前記下吊り具は、２つ以上の動滑車を有し、
前記上吊り具は、１つ以上の動滑車を有し、
前記チェーンは前記動滑車を介して移動することを特徴とする請求項１に記載のチェーン巻取り装置。
【請求項３】
前記制御部は、
前記チェーン交換作業の場合には、前記下吊り具の位置を変えずに前記第１の駆動手段と前記第２の駆動手段を同一方向に回転させることを特徴とする請求項１に記載のチェーン巻取り装置。
【請求項４】
前記制御部は、
前記通常作業か前記チェーン交換作業であるかを判定し、
前記チェーン交換作業であると判定した場合に、前記第１の駆動手段と前記第２の駆動手段を同一方向に回転させることを特徴とする請求項１に記載のチェーン巻取り装置。
【請求項５】
所定の情報を入力するための入力装置を更に有し、
前記制御部は、
前記入力装置から入力された情報に応答して、前記チェーン交換作業であると判定することを特徴とする請求項４に記載のチェーン巻取り装置。
【請求項６】
前記入力装置は、押ボタンスイッチにより構成され、
前記制御部は、
前記押ボタンスイッチからのボタン入力情報に応答して、前記チェーン交換作業であると判定することを特徴とする請求項５に記載のチェーン巻取り装置。
【発明の詳細な説明】
【技術分野】
【０００１】
本発明は、チェーン巻取り装置に関する。
【背景技術】
【０００２】
電気チェーンブロックは、動滑車及びチェーンの掛け数を増やすことで、巻上速度が掛け数の逆数倍になる代わりに、掛け数倍の荷重を吊り上げることができる。
【０００３】
そこで、特許文献１のように、第１及び第２の電気チェーンブロックを使用し、１本のチェーンにフック及び２つ以上の動滑車を有する下吊り具と１つ以上の動滑車を有する上吊り具を通し、チェーンを両側から巻き取ることで２台の電気チェーンブロックの動力により吊り荷の巻上げ及び巻下げを行っている。
【先行技術文献】
【特許文献】
【０００４】
【特許文献１】特開２０１７−１３２５６１号公報
【発明の概要】
【発明が解決しようとする課題】
【０００５】
電気チェーンブロックに用いるチェーンは、使用していくにつれ、チェーン屈曲部の摩耗や伸び等が発生する。このため、定期的にオイル潤滑等のメンテナンスを行い、使用限界となった場合には、新しいチェーンに交換する必要がある。
【０００６】
特許文献１に記載の大形の電気チェーンブロックは、その構造上、チェーンが通常より長くなり複数の滑車を取っているので、チェーンの交換作業性が非常に悪い。
【０００７】
本発明の目的は、チェーン巻取り装置においてチェーンの交換作業を容易に行なうことにある。
【課題を解決するための手段】
【０００８】
本発明の一態様のチェーン巻取り装置は、チェーンを下吊り具と上吊り具に通して第１の駆動手段と第２の駆動手段を介して巻き取るチェーン巻取り装置であって、前記第１の駆動手段と前記第２の駆動手段を制御する制御部を有し、前記制御部は、前記下吊り具の位置を上下方向に移動させる通常作業の場合には、前記第１の駆動手段と前記第２の駆動手段を異なる方向に回転させ、前記チェーンを交換するチェーン交換作業の場合には、前記第１の駆動手段と前記第２の駆動手段を同一方向に回転させることを特徴とする。
【発明の効果】
【０００９】
本発明の一態様によれば、チェーン巻取り装置においてチェーンの交換作業を容易に行なうことができる。
【図面の簡単な説明】
【００１０】
【図１】電気チェーンブロックの構成を示した斜視図の例である。
【図２】電気チェーンブロックの構成を示した正面図の例である。
【図３】大形電気チェーンブロックの構成を示した正面図である。
【図４】大形電気チェーンブロックの通常動作モードの説明図である。
【図５】大形電気チェーンブロックのチェーン交換作業モードの説明図である。
【発明を実施するための形態】
【００１１】
以下、図面を用いて実施例について説明する。
【００１２】
図１〜２を参照して、電気チェーンブロックの全体構成について説明する。
まず、全体構成について説明する。
電気チェーンブロック１００は、電動機１、減速部２、電磁ブレーキ３、上吊具４、押ボタンスイッチ５、チェーンバケット６、スプロケット７、ロードブロック８、チェーン９及び制御部１０を有する。電気チェーンブロック１００には、電気チェーンブロック１００を吊り下げて設置するための上吊具４が取付けられている。
【００１３】
電気チェーンブロック１００には電動機１が取付けられている。電動機１には、電動機１で発生した回転を減速させるための減速部２が接続されおり、減速部２で減速させた回転がスプロケット７に伝達されている。電動機１には、電動機１で発生した回転を停止させるための電磁ブレーキ３が取付けられている。スプロケット７にはチェーン９が噛み合っており、チェーン９の一端にはロードブロック８が取付けられており、他端にはストッパー１１が取り付けられている。電機チェーンブロック１００にはチェーンバケット６が吊り下げられており、チェーン９の巻下げ側のストッパー１１はチェーンバケット６に収納されるようになっている。
電気チェーンブロック１００には、電動機１及び電磁ブレーキ３の動作を制御する制御部１０が取り付けられている。
【００１４】
次に、電気チェーンブロック１００の動作について説明する。
押ボタンスイッチ５の操作ボタンの押し込みにより制御部１０が操作入力を認識し、電動機１に通電すると同時に、電磁ブレーキ３にも通電し電磁ブレーキ３が開放されて電動機１が回転を開始する。
【００１５】
電動機１の回転動力は減速機２で所定の回転速度に減速され、最終減速段と連結されたスプロケット７により回転をチェーン９に伝達し、チェーン９を介してロードブロック８の巻上げ及び巻下げを行う。このようにして、吊り荷を巻上げ及び巻下げする。
【００１６】
チェーン９は、電気チェーンブロック１００に取付けられたチェーンバケット６に、ロードブロック８と反対側のチェーン９が巻上げられる際には収納され、巻下げられる際には排出される。
【００１７】
次の、図３を参照して、チェーン巻取り装置としての大形電気チェーンブロックの全体構成について説明する。
大形電気チェーンブロック２００は、駆動手段として、図１に示す電気チェーンブロック１００を２台使用する。チェーン９をフック２２及び２つ以上の動滑車２６を有する下吊り具２３と、１つ以上の動滑車２６を有する上吊り具２４に通し、第１の電気チェーンブロック（第１の駆動手段）１００Ａ及び第２の電気チェーンブロック（第１の駆動手段）１００Ｂで両側から巻き取っている。これにより、チェーン９の掛け数に応じた荷重の吊り荷を巻上げ及び巻下げを行う。
【００１８】
押ボタンスイッチ５の操作ボタン押し込みにより、第１の電気チェーンブロック１００Ａおよび第２の電気チェーンブロック１００Ｂが動作し、フック２２及び２つ以上の動滑車２６を有する下吊り具２３の巻上げ及び巻下げを行う。このようにして、吊り荷を巻上げ及び巻下げする。
【００１９】
図４を参照して、チェーン巻取り装置の通常モード時の動作について説明する。
図４に示すように、通常モード時は、第１の電気チェーンブロック１００Ａ及び第２の電気チェーンブロック１００Ｂが、正面から見て互いに異なる方向に回転する。このため、フック２２及び２つ以上の動滑車２６を有する下吊り具２３が上方向又は下方向に移動する（フック２２の位置が下降又は上昇する）。このようにして、吊り荷の巻上げ及び巻下げが可能となる。
【００２０】
次に、図５を参照して、チェーン巻取り装置のチェーン交換作業モードの動作について説明する。
チェーン交換作業モード時は、例えば、押ボタンスイッチ５からの当該ボタン入力又は複数のボタン入力の組合せによる特殊操作により、制御部１０へ外部からの入力があった場合に、制御部１０がチェーン交換作業モードと判定する。
【００２１】
制御部１０がチェーン交換作業モードと判定すると、図５の左側に示すように、第１の電気チェーンブロック１００Ａ及び第２の電気チェーンブロック１００Ｂが、正面から見て互いに同じ方向に回転する。
【００２２】
そして、第１の電気チェーンブロック１００Ａ及び第２の電気チェーンブロック１００Ｂに吊り下げられたチェーンバケット６を取り外し、第１の電気チェーンブロック１００Ａ側にあるチェーン９の最終端に取り付けられたストッパー１１を取り外した後、Ｃリンク１２を用いてチェーン９の最終端と新しいチェーン２７の先端を繋ぐ。
この状態から、例えば、押ボタンスイッチ５の下方向ボタンを操作することで、チェーン９が第１の電気チェーンブロック１００Ａから下吊り具２３及び上吊り具２４を介して、第２の電気チェーンブロック１００Ｂへ流れるように巻き取られる。新しいチェーン２７はＣリンク１２を介し、チェーン９と共に巻き取られる。
【００２３】
そして、図５の右側に示すように、第２の電気チェーンブロック１００Ｂ側から、Ｃリンク１２が排出された時に、押ボタンスイッチ５のボタン操作を停止する。これにより、大形電気チェーンブロック２００のチェーン９が新しいチェーン２７に交換される。
以上の動作により、実施例では、大形電気チェーンブロック２００のチェーン交換作業が容易になる。
【００２４】
従来では、大形の電気チェーンブロックのチェーンを交換する際には、図５の右側に示すように、まず、第１の電気チェーンブロック１００Ａ及び第２の電気チェーンブロック１００Ｂのチェーンバケット６を取り外す。
【００２５】
次に、チェーン９の最終端に備わったストッパー１１を取り外した後、チェーン９と新しいチェーン２７をＣリンク１２で繋ぎ、第１の電気チェーンブロック１００Ａ及び第２の電気チェーンブロック１００Ｂを電力供給遮断等の手段により片方ずつ動作させる。この際に、動滑車２６で発生するチェーン９及び新しいチェーン２７の弛みを人の手で解消しながらチェーン交換作業を行っていた。
このように、従来の大形電気チェーンブロック２００のチェーン交換作業は、人手によりチェーン２７の弛みを解消しながら行っているため、チェーンの交換作業性が非常に悪かった。
【００２６】
実施例によれば、例えば、押ボタンスイッチ５のボタン入力により制御部１０へ外部からの入力があった場合、制御部１０がチェーン交換作業モードであると判定する。制御部１０がチェーン交換作業モードであると判定した場合に、第１の電気チェーンブロック１００Ａ（第１の駆動手段）及び第２の電気チェーンブロック（第２の駆動手段）１００Ｂが正面から見て同じ方向へ回転する。これにより、フック２２の位置は変わらない状態で、チェーン９が第１の電気チェーンブロック１００Ａから第２の電気チェーンブロック１００Ｂへ流れるように巻き取られる。
このように、実施例によれば、チェーン交換作業が容易になり作業効率を向上させることができる。
【符号の説明】
【００２７】
１００  電気チェーンブロック
２００  大形電気チェーンブロック
１  電動機
２  減速部
３  電磁ブレーキ
４  上吊具
５  押ボタンスイッチ
６  チェーンバケット
７  スプロケット
８  ロードブロック
９  チェーン
１０  制御部
１１  ストッパー
１２  Ｃリンク
２２  ロードフック
２３  下吊り具
２４  上吊り具
２６  動滑車
２７  新しいチェーン
【図１】
2019089641.tif 000003
【図２】
2019089641.tif 000004
【図３】
2019089641.tif 000005
【図４】
2019089641.tif 000006
【図５】
2019089641.tif 000007